(57)【要約】【課題】複数本のリール付き釣竿を上下に段違い状態に収納でき、釣竿を容易に安定させることのできる釣竿ケースを提供する。【解決手段】リール付き釣竿Ｗ１が複数本収納可能な釣竿ケースであって、リール付き釣竿Ｗ１をケース内の底部９から所定高さ上方に保持するための釣竿保持具１０を備え、該釣竿保持具１０は、釣竿Ｗ１が上端開口から挿入されて、その上端部でリールＲの脚を係止する筒状保持部を有し、該筒状保持部は全長に亘って内径が調節可能である。【選択図】      図１
2004344017.tif 000002
【特許請求の範囲】
【請求項１】
リール付き釣竿が複数本収納可能な釣竿ケースであって、
リール付き釣竿がその上端開口から挿入されて該釣竿をケース内の底部から所定高さ上方に保持する筒状保持部をケース内に備え、該筒状保持部は、内径が調節可能な部分を有していることを特徴とする釣竿ケース。
【請求項２】
筒状保持部は、その上端部でリールの所定部分を係止することにより釣竿を所定高さに保持するように構成されている請求項１記載の釣竿ケース。
【請求項３】
筒状保持部は、軸線方向の全長に亘って内径が調節可能である請求項２記載の釣竿ケース。
【請求項４】
筒状保持部は、板状片の左右両側端部同士を互いに重ね合わせることにより筒状となり、周方向の重ね合わせ長さを調節することにより筒状保持部の内径が調節可能である請求項３記載の釣竿ケース。
【請求項５】
筒状保持部は高さ調節可能である請求項２記載の釣竿ケース。
【請求項６】
筒状保持部はケースの側壁部内面に着脱可能であって、その取付位置を変更することにより高さ調節可能に構成されている請求項５記載の釣竿ケース。
【請求項７】
筒状保持部の上端部と下端部の双方には突片部が突設され、該上下両突片部に筒状保持部をケースの側壁部内面に着脱可能に取り付けるための取付手段が設けられている請求項６記載の釣竿ケース。
【請求項８】
取付手段は面ファスナーであって、該面ファスナーは上側突片部から下側突片部まで連続的に設けられている請求項７記載の釣竿ケース。
【請求項９】
筒状保持部は、有底であってその底部で釣竿の竿尻を支持することにより釣竿を所定高さに保持するように構成され、且つ、該筒状保持部は、その下端側が上方に折り返し可能に構成されて折り返された際には折り返し部において竿尻を支持し、しかも、その折り返し長さが調節可能である請求項１記載の釣竿ケース。
【発明の詳細な説明】
【０００１】
【発明の属する技術分野】
本発明は、リールが装着された釣竿を複数本収納する釣竿ケースの改良に関し、特に、少なくとも二本の釣竿におけるリール同士が互いに上下に段違い状態になるように収納することのできる釣竿ケースの改良に関する。
【０００２】
【従来の技術】
例えば、投げ釣りや磯釣りなどでは釣り場に到着して直ちに釣りを開始することができるように、予め釣竿にリールを装着しておき、そのリール付き釣竿を釣り場に持っていくということが行われる。かかる用途のため、この種の釣竿ケースには、リール付き釣竿を複数本収納できるものもある。
【０００３】
このようにリール付き釣竿を複数本収納した場合には、リール同士の干渉を防止する必要があり、そのため、リール付き釣竿のリール同士が上下に段違いになるようにリール付き釣竿を互いに上下に位置ずれさせた状態で収納できるようにして、リール同士の干渉、衝突を防止する構成も提案されている（下記特許文献１参照）。
【０００４】
この構成の釣竿ケースにあっては、一本の釣竿についてはその竿尻を釣竿ケースの底部に当接させた通常状態で収納し、他の一本の釣竿のついては、釣竿ケースの底部よりも上方に設けられた袋状受け部にその竿尻を挿入させて収納する。これにより一方の釣竿が他方の釣竿よりも上方に位置ずれし、両リール同士も互いに上下に段違いの状態となるので、リール同士の干渉、衝突が防止されるというものである。
【０００５】
【特許文献１】
登録実用新案第３０２９０３５号公報
【０００６】
【発明が解決しようとする課題】
しかしながら、上記従来の釣竿ケースにあっては、袋状受け部に竿尻を単に挿入させる構成なるため、袋状受け部の中で釣竿ががたつき、安定性が悪いという問題がある。収納した釣竿を二本まとめて縛るための紐も設けられているが、リールが装着されていることもあって必ずしも所望の部位で結ぶことはできず、従って安定性を確保することが困難である。また、二本まとめて結びつけるため釣竿同士の擦れも起こりやすい。
【０００７】
それゆえに本発明は、上記従来の問題点に鑑みてなされ、複数本のリール付き釣竿を上下に段違い状態に収納でき、釣竿を容易に安定させることのできる釣竿ケースを提供することを課題とする。
【０００８】
【課題を解決するための手段】
本発明は、上記課題を解決すべくなされたものであり、本発明に係る釣竿ケースは、リール付き釣竿が複数本収納可能な釣竿ケースであって、リール付き釣竿がその上端開口から挿入されて該釣竿をケース内の底部から所定高さ上方に保持する筒状保持部をケース内に備え、該筒状保持部は、内径が調節可能な部分を有していることを特徴とする。
【０００９】
該構成の釣竿ケースにあっては、上端が開口した筒状保持部がケース内に備えられ、該筒状保持部に釣竿を上方から挿入することでその釣竿はケース内の底部から所定高さ上方に保持される。従って、例えば一本の釣竿はそのままケース内の底部に竿尻が当接するようにして収納し、他の一本の釣竿は筒状保持部により所定高さ上方に収納することができ、両リール同士を上下に位置ずれさせることができる。そして、筒状保持部は筒状であるため釣竿のがたつきが構造上少ないが、内径が調節可能な部分を有しているので、その調節可能な部分でもって内径を調節することで釣竿のがたつきをなくすことができる。例えば、釣竿を挿入する前にその釣竿に合わせて内径を大まかに調節しておく。そして、その筒状保持部に釣竿を挿入させるが、挿入後において更に内径を調節することで釣竿をがたつきなく所定高さ上方に保持することができる。そして一旦このように内径を調節した後は、その筒状保持部に釣竿を挿入するのみで釣竿をがたつきなく保持することができる。また、径の異なる別の釣竿を挿入する場合にはその釣竿に合わせて筒状保持部の内径を調節すればよい。
【００１０】
また、筒状保持部が釣竿をケース内の底部から所定高さ上方に保持する構成は種々あり、例えば筒状保持部を有底としてその底部で釣竿の竿尻を支持することによって所定高さ上方に保持することも可能であるが、筒状保持部がその上端部でリールの所定部分を係止することにより釣竿を所定高さに保持するように構成することが好ましい。リール付き釣竿においてリールは竿尻から所定長さ竿先側に位置しているので、竿尻を支持する構成に比して竿先側を支持することになり、リール付き釣竿をより一層安定させることができる。
【００１１】
更に、筒状保持部は、軸線方向の全長に亘って内径が調節可能であることが好ましい。軸線方向の一部分のみが調節可能であってもよいが、軸線方向の全長に亘って内径が調節可能であることにより、釣竿の安定性をより一層高めることができる。特に、上述したようにリールの所定部分を係止する構成の場合には、重量物であるリールを筒状保持部で下方から支持すると共にそのリール直下の釣竿の部位におけるがたつきを防止することができるので、リール付き釣竿を効率よく安定させることができる。更に、軸線方向の一部分のみが調節可能である場合に比して、調節後の内径を確実に維持できる。
【００１２】
また、筒状保持部は、板状片の左右両側端部同士を互いに重ね合わせることにより筒状となり、周方向の重ね合わせ長さを調節することにより筒状保持部の内径が調節可能であることが好ましい。板状片を筒状としその周方向の重ね合わせ長さを調節する構成により、簡単な構成で軸線方向全長に亘って内径を調節可能にできる。
【００１３】
一方、筒状保持部が高さ調節可能であることが好ましく、リールから竿尻までの長さが異なる場合であってもリール同士が干渉することなく収納することが可能になる。
【００１４】
特に、筒状保持部はケースの側壁部内面に着脱可能であって、その取付位置を変更することにより高さ調節可能に構成されていることが好ましく、簡易な構成で筒状保持部の高さを調節することができるうえに、筒状保持部を取り外しできることで以下のような他の利点もある。まず、筒状保持部を取り外してその内径を調節することによりケース内の狭いところで内径調節を行わずに済む利点があり、容易に内径を調節することができる。また、釣竿を収納する際において、ケース外において筒状保持部に釣竿を挿入し、釣竿と筒状保持部を共にケース内に入れてケースの側壁部内面に筒状保持部を取り付けることで、容易に釣竿をケース内の底部から所定高さ上方に位置させることができる。
【００１５】
更に、筒状保持部の上端部と下端部の双方には突片部が突設され、該上下両突片部に筒状保持部をケースの側壁部内面に着脱可能に取り付けるための取付手段が設けられていることが好ましい。上下両突片部の取付手段により側壁部内面に取り付ける構成とすることにより、筒状保持部の外周面に設けた取付手段によって取り付ける構成に比して筒状保持部を確実に取り付けることができる。
【００１６】
特に、取付手段は面ファスナーであって、該面ファスナーは上側突片部から下側突片部まで連続的に設けられていることが好ましい。取付手段を面ファスナーとすることで着脱作業が容易であるうえに、取付位置の微調節も可能となるが、その面ファスナーを上下両突片部のみならず板状片を経由して連続的に設けることにより面ファスナーの面積を十分に確保できるため確実に取付状態を維持できる。
【００１７】
また、筒状保持部は、有底であってその底部で釣竿の竿尻を支持することにより釣竿を所定高さに保持するように構成され、且つ、該筒状保持部は、その下端側が上方に折り返し可能に構成されて折り返された際には折り返し部において竿尻を支持し、しかも、その折り返し長さが調節可能であることが好ましい。筒状保持部を有底としてその底部で竿尻を支持する場合と折り返し部で竿尻を支持する場合とで釣竿の高さが変化するため、筒状保持部自体が高さ調節可能でなくても少なくとも二つの高さ位置に釣竿を保持することができる。そして、その折り返し長さを調節可能とすることにより、折り返し部の高さが折り返し長さに応じて変化するので、一つの筒状保持部によって三箇所以上の高さ位置に釣竿を保持することができる。
【００１８】
【発明の実施の形態】
以下、本発明に係る釣竿ケースの一実施形態として図１乃至図４を参酌しつつ説明する。
図１に示す釣竿ケースは、縦長の四つの面からなる側壁部１の内側にリール付き釣竿Ｗ１，Ｗ２を複数本収納できる竿収納空間２が形成されている。該側壁部１は、肩掛けベルト３と把手４とが取り付けられた背面５と、該背面５に対向した反対側の前面６と、前面６と背面５とを前後に連結する左右両側面７とから縦長角筒状に形成されている。そして、前面６と左側面（図示省略）との間にスライドファスナー（図示省略）によって開閉される縦方向に沿った本体開口部（図示省略）が形成され、該本体開口部を開けてそこから釣竿Ｗ１，Ｗ２を出し入れする。
【００１９】
この釣竿ケースは、釣竿Ｗ１，Ｗ２をリールＲを付けた状態のままで収納できるようになっている。即ち、左右両側面７は、下端から略１／３付近の部分を頂点として前方に円弧状に膨出した形状であり、この前方への膨出部７ａにより竿収納空間２は局所的に前方側にゆとりを有し、従って、リールＲ付き釣竿Ｗ１，Ｗ２を容易に収納できる。
【００２０】
また、側壁部１の上端開口は前面６の上端部が背面５まで延設されることにより閉塞される一方、側壁部１の下端開口は合成樹脂成型品の底キャップ８により閉塞されている。即ち、釣竿ケースの底部９はこの底キャップ８により構成されている。
【００２１】
このような釣竿ケースの側壁部１内面に、釣竿Ｗ１をケースの底部９から離間させて所定高さ上方に保持するための釣竿保持具１０が着脱自在に取り付けられている。該釣竿保持具１０は、図２に示すように、上下両端が開口した筒状保持部１１と、該筒状保持部１１の上端部１１ａと下端部１１ｂとにそれぞれ軸線方向に突設された突片部１２，１３とを有し、釣竿保持具１０は、筒状保持部１１の軸線方向が釣竿ケースの長手方向となるようにして取り付けられる。
【００２２】
具体的には、釣竿保持具１０は厚さ数ミリのシート体から構成されていて、図２及び図３に示すように、筒状保持部１１となる横長の板状片１４と、該板状片１４よりも縦長であって上下両突片部１２，１３を形成すべく板状片１４に縫着された帯状片１５とから構成される。帯状片１５は、板状片１４に対して略直交するように板状片１４の外面略中央に縫着され、板状片１４から突出したその上端部と下端部とにより上下両突片部１２，１３が各々構成される。即ち、上下両突片部１２，１３は筒状保持部１１の軸線方向に沿って一直線状に設けられている。尚、一つの部材から釣竿保持具１０を構成することもできるが、板状片１４から筒状保持部１１を構成すると共に、板状片１４とは別体の帯状片１５から上下両突片部１２，１３を構成することにより材料の無駄が少なく低コストであるうえに、板状片１４と帯状片１５とが重なって互いに補強として機能するので好ましい。
【００２３】
また、板状片１４の左側端部１４ｂ内面には面ファスナーのフック部２０ａが設けられる一方、板状片１４の外面には面ファスナーのループ部２０ｂが左右方向に沿って所定長さ設けられている。従って、板状片１４は、その左側端部１４ｂが外側になるように右側端部１４ａに重ね合わせることで筒状となる。そして、周方向の重ね合わせ長さが任意に調節可能であって、それにより筒状保持部１１の内径は軸線方向の全長に亘って一括的に拡大、縮小調節でき、調節した内径が維持される。
【００２４】
また、釣竿保持具１０は取付手段としての面ファスナーによって側壁部１内面に着脱自在に取り付けられる構成であり、帯状片１５の裏面には面ファスナーのフック部２１ａが全長に亘って設けられる一方、側壁部１内面には面ファスナーのループ部２１ｂが所定領域に亘って設けられている。側壁部１内面に設けられた面ファスナーのループ部２１ｂが帯状片１５の面ファスナーのフック部２１ａよりも縦長であるため、釣竿保持具１０はその取付位置を上下に変更することができ、これによりケースの底部９からの高さを調節することができる。また、側壁部１内面の面ファスナーのループ部２１ｂは帯状片１５の面ファスナーのフック部２１ａよりも幅広であるため、釣竿保持具１０は横方向にも取付位置が変更可能である。
【００２５】
かかる構成の釣竿保持具１０には、図４に示すように、その上端開口から釣竿Ｗ１の竿尻側が挿入され、リールＲの脚Ｒ１が釣竿保持具１０における筒状保持部１１の上端部１１ａに係止されることでそれ以上の挿入が阻止される。そして、釣竿保持具１０の筒状保持部１１に挿入された釣竿Ｗ１は、その竿尻側所定領域が筒状保持部１１から下方に突出するが、竿尻は図１に示すように釣竿ケースの底部９よりも上方に離反して位置する。
【００２６】
尚、側壁部１内面には、釣竿保持具１０の取付位置よりも上方に、釣竿保持具１０の筒状保持部１１と同様に板状片１４の左右両側端部同士を重ね合わせることにより筒状とされた筒体３０が取り付けられている。そして、釣竿保持具１０の筒状保持部１１に挿入された釣竿Ｗ１の穂先側が筒体３０を上方に貫通し、従って、釣竿Ｗ１は釣竿保持具１０と筒体３０とによって側壁部１内面に固定される。尚、該筒体３０も面ファスナー等によって着脱自在である。
【００２７】
その一方、釣竿保持具１０を使用しないでそのままケース内に収納された他方の釣竿Ｗ２は、その竿尻が釣竿ケースの底部９に当接した状態となる。従って、両釣竿Ｗ１，Ｗ２は互いに上下方向に位置ずれし、リールＲ同士の干渉、衝突が防止されることとなる。
【００２８】
しかも、釣竿保持具１０は、重量物であるリールＲの直下に位置して釣竿Ｗ１のリールシート部分を保持しているので、釣竿Ｗ１がケースの底部９から上方に離反していてもその安定性は高く、携帯時のぐらつきが効果的に防止される。更に、釣竿保持具１０の筒状保持部１１がその軸線方向全長に亘って内径を調節可能であるので、挿入した釣竿Ｗ１との間に仮に隙間があったとしても筒状保持部１１の内径を縮径調節することができ、釣竿Ｗ１を確実に保持することができる。また縮径調節することによって筒状保持部１１が釣竿Ｗ１に圧着することになるので、その点においても釣竿Ｗ１を確実に保持できる。特に、リールシート部分は釣竿Ｗ１の他の部分に比して凹凸が多いことから、筒状保持部１１を縮径して圧着させることにより、がたつきなく確実に釣竿Ｗ１を保持することができる。また、径が異なる他の釣竿Ｗ１を保持する場合であっても筒状保持部１１の内径をそれに合わせて調節すればよい。しかも、図４のように板状片１４の左右両側端部１４ａ，１４ｂ同士の重ね合わせ部が、帯状片１５と対向する位置、即ち釣竿保持具１０の取付位置に対して対向する位置にあるので、その重ね合わせ部の上端部にリールＲの脚Ｒ１が当接することとなる。筒状保持部１１のうちでも強度の大きい重ね合わせ部でリール付き釣竿Ｗ１を係止するので、筒状保持部１１の上端部１１ａが安定する結果、釣竿Ｗ１も安定する。
【００２９】
更に、面ファスナーによって筒状保持部１１の内径を調節する構成としているので、内径を細かく調節することができ、調節の作業も楽である。尚、使用する釣竿Ｗ１に合わせて内径を調節すればその後はその筒状保持部１１に釣竿Ｗ１を挿入するだけで済む。
【００３０】
また、釣竿保持具１０の高さを調節することができるので、リールＲから竿尻までの長さが異なる種々の釣竿Ｗ１に容易に対応でき、しかも、面ファスナーで着脱することで高さ調節を行うので高さも微調節可能である。
【００３１】
更に、このように釣竿保持具１０が着脱自在であるので、ケース内で内径の調節作業を行わずとも済む。即ち、釣竿ケースに収納する前に予め釣竿Ｗ１に釣竿保持具１０を装着しておき、釣竿保持具１０と共にケース内に収納することができる。その際、筒状保持部１１の内径を調節することで釣竿保持具１０の筒状保持部１１を釣竿Ｗ１に圧着させることができるので、釣竿保持具１０が釣竿Ｗ１，Ｗ２から下方に抜け落ちることなく楽にケース内に収納することができ、面ファスナーによって釣竿保持具１０を取り付ける構成であるので取付作業も極めて楽である。しかも、上下両突片部１２，１３が設けられているので釣竿保持具１０を強固に取り付けることができ、また上側突片部１２から下側突片部１３まで一直線状に連続して面ファスナーのフック部２１ａが設けられているので、より一層強固に取り付けることができる。尚、穂先側の筒体３０も着脱自在であるので、ケース外で筒体３０も同様に釣竿Ｗ１に装着しておくことができ、釣竿保持具１０と共に一度の取付作業で取り付けることができる。
【００３２】
尚、本実施形態では、上下両突片部１２，１３を設けたが、片方のみ設けたり、全く設けなくてもよい。また、例えば上下両突片部１２，１３のみに面ファスナー等の取付手段を設けてもよい。無論、面ファスナー以外の釦等の取付手段であってもよい。また、帯状片１５を板状片１４の左右方向略中央に縫着したが左右に位置ずれさせてもよい。更に、板状片１４が上下に一対設けられるなどしてもよい。
【００３３】
また、リールＲもスピニングリールには限られず両軸リール等であってもよく、リールＲの脚Ｒ１を筒状保持部１１の上端部１１ａで係止する構成であったが、脚Ｒ１以外のリールＲの部分を係止する構成であってもよい。
【００３４】
更に、図５のように釣竿保持具１０の筒状保持部１１を有底としてその底部１１ｃで釣竿Ｗ１の竿尻を支持することによって釣竿Ｗ１を所定高さに保持するように構成してもよい。また、筒状保持部１１の上端側所定領域のみ、内径が調節可能であってもよい。例えば、図５に示すように、筒状保持部１１の上部外周面に締め付けベルト４０を取り付け、該締め付けベルト４０で筒状保持部１１の上部の内径を調節するようにしてもよい。該締め付けベルト４０の先端部４０ａを例えば面ファスナー４１によって筒状保持部１１の上部外周面に止着する構成とし、締め付けベルト４０の先端部４０ａの止着位置を周方向に変更することで筒状保持部１１の上部の内径を調節する。
【００３５】
また更に、筒状保持部１１の底部１１ｃで釣竿Ｗ１の竿尻を支持する構成の釣竿保持具１０の場合、図６に示すように、筒状保持部１１の下端側を上方に折り返し、その折り返し部１１ｄで竿尻を支持するように構成してもよい。このように折り返し部１１ｄでも竿尻を支持可能とすれば、釣竿保持具１０を高さ調節せずとも、筒状保持部１１の底部９で支持する場合と合わせて二通りの使用が可能となる。更に、上方への折り返し長さが調節できるようにすれば、釣竿Ｗ１の高さを更に変更することができる。尚、図６に示す釣竿保持具１０においては、上方に折り返した筒状保持部１１の下端部１１ｂを面ファスナー４２によって筒状保持部１１の外周面に止着する構成を採用し、また、図５に示したのと同様の締め付けベルト４０を採用して筒状保持部１１の上部の内径を調節可能としている。
尚、このように筒状保持部１１の底部１１ｃで竿尻を支持する場合、その底部１１ｃを開閉可能とすれば、底部１１ｃを開状態として上述したようにリールＲの脚Ｒ１等の所定部分を係止することもできる。
【００３６】
尚、筒状保持部１１のうち内径を調節できる部分は上部に限られず、例えば軸線方向（上下方向）略中央部等であってもよい。但し、上述したようなリールＲの所定部分を筒状保持部１１の上端部１１ａで係止する場合には少なくとも上部の内径を調節可能とすることが好ましく、リールＲの所定部分を確実に係止できる。
【００３７】
その他、釣竿保持具１０の材質や形状、個数についても適宜設計変更可能であり、釣竿保持具１０が取り外し不能であってもよく、また、釣竿ケースの形状、釣竿の収納本数についても変更可能である。
【００３８】
【発明の効果】
以上のように、筒状保持部の内径を調節することで釣竿のがたつきを防止することができて釣竿を安定状態で段違いに収納することができる。
【図面の簡単な説明】
【図１】本発明の一実施形態における釣竿ケースを示す断面図。
【図２】同釣竿ケースに使用されている釣竿保持具の斜視図。
【図３】同釣竿保持具の展開状態図。
【図４】同釣竿ケースの要部断面図。
【図５】他の実施形態における釣竿ケースに使用される釣竿保持具１０の斜視図。
【図６】他の実施形態における釣竿ケースに使用される釣竿保持具１０の部分断面図。
【符号の説明】
１…側壁部、２…竿収納空間、９…底部、１０…釣竿保持具、１１…筒状保持部、１１ａ…上端部、１１ｂ…下端部、１１ｃ…底部、１１ｄ…折り返し部、１２，１３…突片部、１４…板状片、１４ａ…右側端部、１４ｂ…左側端部、１５…帯状片、２０ａ，２１ａ…面ファスナーのフック部、２０ｂ、２１ｂ…面ファスナーのループ部、３０…筒体、Ｒ…リール、Ｒ１…脚、Ｗ１，Ｗ２…釣竿
【図１】
2004344017.tif 000003
【図２】
2004344017.tif 000004
【図３】
2004344017.tif 000005
【図４】
2004344017.tif 000006
【図５】
2004344017.tif 000007
【図６】
2004344017.tif 000008